(57)【特許請求の範囲】
【請求項１】
上面部に吸込口が形成され、該吸込口よりも下方に吹出口が形成され、背面部を構成する背面板を有する筐体と、
ベルマウスが形成されたファン外枠、前記ベルマウス内に設けられた軸流ファン、及び該軸流ファンを駆動するモーターを有し、前記筐体内における前記吸込口の下流側に設けられたファンユニットと、
前記筐体内における前記軸流ファンの下流側に設けられ、前記軸流ファンによって前記筐体内へ吸い込まれた空気と冷媒とを熱交換させる熱交換器と、
を備え、
前記背面板は、前方へ突設された一対の支持アームを有し、
前記ファンユニットは、下方から一対の前記支持アームで支持されている空気調和機の室内機。
【請求項２】
前記ファン外枠は、前記支持アームのそれぞれの前方に設けられ、第１貫通穴が形成された取付板を有し、
前記支持アームのそれぞれは、前記取付板の前記第１貫通穴と対向する位置に、第１ネジ穴が形成されており、
前記取付板の前記第１貫通穴に挿入したネジを前記支持アームの前記第１ネジ穴にねじ込んで固定することにより、前記ファンユニットは前記支持アームに固定される請求項１に記載の空気調和機の室内機。
【請求項３】
前記取付板のそれぞれには、第１凹部が形成され、
前記支持アームのそれぞれの先端部には、前記取付板の前記第１凹部に挿入される位置決めピンが突設されている請求項２に記載の空気調和機の室内機。
【請求項４】
前記ファン外枠は、前記支持アームの少なくとも一方の上部と対向する位置に、前後方向に沿ってガイド溝が形成され、
前記支持アームの少なくとも一方が、前記ガイド溝に前後方向に摺動自在に挿入されている請求項１〜請求項３のいずれか一項に記載の空気調和機の室内機。
【請求項５】
一対の前記支持アームの前端部は、前記ファンユニットの重心よりも前方まで伸びている請求項１〜請求項４のいずれか一項に記載の空気調和機の室内機。
【請求項６】
前記熱交換器は、左右側端部に設けられた一対の側板を備え、
前記側板のそれぞれは、前記支持アームのそれぞれの前方に設けられ、第２貫通穴が形成された取付部を有し、
前記支持アームのそれぞれは、前記取付部の前記第２貫通穴と対向する位置に、第２ネジ穴が形成されており、
前記取付部の前記第２貫通穴に挿入したネジを前記支持アームの前記第２ネジ穴にねじ込んで固定することにより、前記熱交換器は前記支持アームに固定される請求項１〜請求項５のいずれか一項に記載の空気調和機の室内機。
【請求項７】
前記取付部のそれぞれには、第２凹部が形成され、
前記支持アームのそれぞれの先端部には、前記取付部の前記第２凹部に挿入される位置決めピンが突設されている請求項６に記載の空気調和機の室内機。
【請求項８】
前記熱交換器は、
前記筐体の前面側から背面側にかけて、第１熱交換要素、第２熱交換要素、第３熱交換要素及び第４熱交換要素を有し、
前記第１熱交換要素、前記第２熱交換要素、前記第３熱交換要素及び前記第４熱交換要素は、側面視Ｗ字状に配置されており、
前記支持アームの先端部は、前記第２熱交換要素の上端部又は前記第３熱交換要素の上端部と対向する位置まで伸びている請求項６又は請求項７に記載の空気調和機の室内機。
【請求項９】
前記第１熱交換要素、前記第２熱交換要素、前記第３熱交換要素及び前記第４熱交換要素が同じ大きさである請求項８に記載の空気調和機の室内機。
【請求項１０】
前記筐体内に吸い込まれる空気から塵埃を除去するフィルター、及び、該フィルターに付着した塵埃を除去して貯留する清掃機構を有する清掃ユニットを備え、
該清掃ユニットは、前記ファンユニットの上方に配置され、下方から該ファンユニットによって支持されている請求項１〜請求項９のいずれか一項に記載の空気調和機の室内機。
【発明の詳細な説明】
【技術分野】
【０００１】
本発明は、軸流ファンを有する空気調和機の室内機に関する。
【背景技術】
【０００２】
従来、軸流ファンを有する空気調和機の室内機が提案されている。このような従来の空気調和機の室内機としては、例えば、上部に吸込口が形成され、前面部下側に吹出口が形成された筐体を備えている。そして、筐体の内部には、吸込口の下流側に設けられた軸流ファン、及び、軸流ファンの下流側に設けられた熱交換器が収容されている（例えば、特許文献１参照）。
【先行技術文献】
【特許文献】
【０００３】
【特許文献１】特許第５４２５１０６号公報
【発明の概要】
【発明が解決しようとする課題】
【０００４】
空気調和機の室内機は年々、機能向上に伴って熱交換器の大きさが大きくなっている。このため、熱交換器を収容する筐体もまた、大型化する必要がある。しかしながら、室内機の縦方向及び横方向の大きさは据付の制約等から限界に達している。このため、熱交換器の大きさに合わせて伸ばすことができるのは、筐体の前後方向（奥行き）のみとなってきている。また、従来、熱交換器及びファン等のような重量物は、筐体の背面部を構成する背面板に取り付けられている。【０００５】
ここで、室内機のファンとして軸流ファンを採用した場合、軸流ファンを熱交換器の上方に配置する必要がある。つまり、熱交換器の大型化に伴って、軸流ファンの配置位置は、背面板から前方に離れた位置となる。また、軸流ファンを駆動するモーターも、熱交換器の大型化に伴って、背面板から前方に離れた位置となる。このため、軸流ファンを有する従来の空気調和機の室内機においては、軸流ファン及び該軸流ファンを駆動するモーターを背面板に取り付けた際、熱交換器の大型化に伴って、取付部のネジ穴（背面板に形成されたネジ穴）にかかるモーメントが大きくなってしまい、当該ネジ穴が破損してしまう場合があるという課題があった。【０００６】
本発明は、上述のような課題を解消するためになされたものであり、軸流ファン及び該軸流ファンを駆動するモーターを背面板に取り付けた際、取付部にかかるモーメントを低減することが可能な空気調和機の室内機を得ることを特徴とする。
【課題を解決するための手段】
【０００７】
本発明に係る空気調和機の室内機は、上面部に吸込口が形成され、該吸込口よりも下方に吹出口が形成され、背面部を構成する背面板を有する筐体と、ベルマウスが形成されたファン外枠、前記ベルマウス内に設けられた軸流ファン、及び該軸流ファンを駆動するモーターを有し、前記筐体内における前記吸込口の下流側に設けられたファンユニットと、前記筐体内における前記軸流ファンの下流側に設けられ、前記軸流ファンによって前記筐体内へ吸い込まれた空気と冷媒とを熱交換させる熱交換器と、を備え、前記背面板は、前方へ突設された一対の支持アームを有し、前記ファンユニットは、下方から一対の前記支持アームで支持されているものである。
【発明の効果】
【０００８】
本発明に係る空気調和機の室内機においては、背面板は前方へ突設された一対の保時アームを有し、軸流ファン及びモーターを有するファンユニットを該一対の保時アームで保時している。このため、軸流ファン及び該軸流ファンを駆動するモーターを背面板に取り付けた際、取付部にかかるモーメントを低減することができ、取付部のネジ穴の破損を防止することができる。
【図面の簡単な説明】
【０００９】
【図１】本発明の実施の形態に係る空気調和機の室内機を右前方上側から見た斜視図である。
【図２】本発明の実施の形態に係る空気調和機の室内機を示す正面図である。
【図３】本発明の実施の形態に係る空気調和機の室内機を右前方上側から見た分解斜視図である。
【図４】本発明の実施の形態に係る空気調和機の室内機を示す側面断面図である。
【図５】本発明の実施の形態に係る空気調和機の室内機のファンユニット及び清掃ユニットを右前方上側から見た分解斜視図である。
【図６】本発明の実施の形態に係る空気調和機の室内機において、背面板、熱交換器及びファンユニットを右前方上側から見た組立斜視図である。
【図７】本発明の実施の形態に係る空気調和機の室内機において、背面板、熱交換器及びファンユニットを右前方上側から見た分解斜視図である。
【図８】図７のＡ部拡大図である。
【図９】図７のＢ部拡大図である。
【図１０】本発明の実施の形態に係る空気調和機の室内機の背面板を示す右側面図である。
【図１１】本発明の実施の形態に係る空気調和機の室内機の背面板を示す左側面図である。
【図１２】図７のＣ−Ｃ断面図である。
【図１３】図７のＤ−Ｄ断面図である。
【図１４】図２のＥ−Ｅ断面図である。
【図１５】図１４のＦ部拡大図である。
【図１６】図１４のＧ部拡大図である。
【図１７】本発明の実施の形態に係る空気調和機の室内機において、背面板、熱交換器及びファンユニットを右前方下側から見た組立斜視図である。
【図１８】図１７のＨ部拡大図である。
【図１９】図１８に示す状態からファンユニットを前方へ引き出した状態を示す図である。
【図２０】本発明の実施の形態に係る空気調和機の室内機において、背面板、熱交換器及びファンユニットを左前方下側から見た組立斜視図である。
【図２１】図２０のＩ部拡大図である。
【図２２】図２１に示す状態からファンユニットを前方へ引き出した状態を示す図である。
【図２３】本発明の実施の形態に係る空気調和機の室内機における熱交換器の右側板を右前方上側から見た斜視図である。
【図２４】本発明の実施の形態に係る空気調和機の室内機における熱交換器の左側板を右後方上側から見た斜視図である。
【図２５】本発明の実施の形態に係る空気調和機の室内機における熱交換器の取付部のネジ穴に作用するモーメントを説明するための説明図である。
【図２６】本発明の実施の形態に係る空気調和機の室内機における熱交換器の取付構成に従来の取付構成を採用した際の、熱交換器の取付部のネジ穴に作用するモーメントを説明するための説明図である。
【図２７】本発明の実施の形態に係る空気調和機の室内機におけるファンユニットの取付部のネジ穴に作用するモーメントを説明するための説明図である。
【図２８】本発明の実施の形態に係る空気調和機の室内機におけるファンユニットの取付構成に従来の取付構成を採用した際の、ファンユニットの取付部のネジ穴に作用するモーメントを説明するための説明図である。
【発明を実施するための形態】
【００１０】
以下、図面を用いながら、本実施の形態に係る空気調和機の室内機について説明する。
【００１１】
図１は、本発明の実施の形態に係る空気調和機の室内機を右前方上側から見た斜視図である。図２は、この空気調和機の室内機を示す正面図である。図３は、この空気調和機の室内機を右前方上側から見た分解斜視図である。図４は、この空気調和機の室内機を示す側面断面図である。また、図５は、この空気調和機の室内機のファンユニット及び清掃ユニットを右前方上側から見た分解斜視図である。なお、図３は、図の左側が室内機１００の正面側となる。
【００１２】
本実施の形態に係る室内機１００は、上面部に吸込口４が形成され、該吸込口４よりも下方に吹出口５が形成され筐体１と、例えばプロペラファンである軸流ファン３３を有するファンユニット３０と、軸流ファン３３によって筐体１内へ吸い込まれた空気（室内空気）と冷媒とを熱交換させる熱交換器６０と、を備えている。なお、本実施の形態では、筐体１の下面部に吹出口５が形成されている。
【００１３】
筐体１は、略直方体の箱型形状をしており、背面板２及び意匠パネル３で構成されている。背面板２は、筐体１の背面部を構成するものである。意匠パネル３は、筐体１の前面部（正面部）、左右側面部、上面部及び下面部を構成するものである。つまり、吸込口４及び吹出口５は、意匠パネル３に形成されている。また、吹出口５には、該吹出口５から吹き出される空気の上下方向の向きを調整する上下風向板５ａ、及び、該吹出口５から吹き出される空気の左右方向の向きを調整する左右風向板（図示せず）が設けられている。なお、本実施の形態では、背面板２及び意匠パネル３で筐体１を構成したが、これはあくまでも筐体１の一例である。
【００１４】
ファンユニット３０は、筐体１内における吸込口４の下流側に設けられている。このファンユニット３０は、ベルマウス３２が形成されたファン外枠３１、ベルマウス３２に設けられた少なくとも１つの軸流ファン３３、及び軸流ファン３３を駆動するモーター３４を備えている。なお、本実施の形態では、２つの軸流ファン３３が筐体１の左右方向に沿って並設されている。このため、ファン外枠３１にも、筐体１の左右方向に沿って２つのベルマウス３２が並設されている。なお、軸流ファン３３の数はあくまでも一例であり、軸流ファン３３の数は、室内機１００が要求される風量に基づいて適宜決定すればよい。また、軸流ファン３３を駆動するモーター３４は、軸流ファン３３のボス部３３ａに内蔵されている（後述の図１４参照）。
このように構成されたファンユニット３０は、筐体１の背面板２に取り付けられる。ファンユニット３０の背面板２への取付構成の詳細については、後述する。
【００１５】
熱交換器６０は、筐体１内において、軸流ファン３３つまりファンユニット３０の下流側に設けられている。この熱交換器６０は、筐体１内へ吸い込まれた空気（室内空気）と冷媒とを熱交換させる熱交換器本体６１を備えている。この熱交換器本体６１は、筐体１の前面側から背面側にかけて、第１熱交換要素６２、第２熱交換要素６３、第３熱交換要素６４及び第４熱交換要素６５を有している。第１熱交換要素６２、第２熱交換要素６３、第３熱交換要素６４及び第４熱交換要素６５のそれぞれは、所定の間隔を介して並設された複数の伝熱フィン６７と、伝熱フィン６７の並設方向にこれら伝熱フィン６７を貫通する複数の伝熱管６８とで構成されている。
【００１６】
また、第１熱交換要素６２、第２熱交換要素６３、第３熱交換要素６４及び第４熱交換要素６５は、同じ大きさに形成されており、側面視Ｗ字状に配置されている。なお、熱交換器本体６１の構成は、この構成に限定されるものではない。各熱交換要素の大きさを異ならせてもよいし、熱交換要素の数（つまり側面視形状）も任意である。
【００１７】
また、本実施の形態に係る熱交換器６０は、熱交換器本体６１の左右側端部に取り付けられた一対の側板（右側板７０，左側板８０）を備えている。これら右側板７０及び左側板８０を介して、熱交換器６０は筐体１の背面板２に取り付けられる。熱交換器６０の背面板２への取付構成の詳細については、後述する。
【００１８】
また、本実施の形態に係る室内機１００は、筐体１内に、清掃ユニット９０、ドレンパン９７及び電気品箱９８も設けられている。
【００１９】
清掃ユニット９０は、カセット９１、フィルター９４及び清掃機構９５を備えている。カセット９１は、軸流ファン３３に対応して設けられるものであり、軸流ファン３３の上方（例えば吸込口４）に配置されている。また、カセット９１には、軸流ファン３３と対向する位置に開口部９２が形成されている。このカセット９１は、筐体１内に吸い込まれる空気から塵埃を除去するフィルター９４が収容されている。上述のように、本実施の形態では、２つの軸流ファン３３が設けられている。このため、カセット９１及びフィルター９４も、軸流ファン３３に対応して２つ設けられている。そして、フィルター９４に付着した塵埃を除去して貯留する清掃機構９５は、これらカセット９１の間に設けられている。カセット９１は、図示せぬ移動機構でフィルター９４を左右方向に移動させ、この移動途中において、フィルター９４に付着した塵埃が除去される構成となっている。
この清掃ユニット９０は、下方からファンユニット３０によって支持されている。
【００２０】
ドレンパン９７は、熱交換器６０の下方に配置され、該熱交換器６０から滴下した露を受け、回収するものである。ドレンパン９７で回収された露は、図示せぬ排水パイプを介して、筐体１の外部へ排出される構成となっている。
【００２１】
電気品箱９８は、軸流ファン３３を駆動するモーター３４の回転数等を制御する制御基板等を収容するものである。この電気品箱９８は、熱交換器６０の右側に配置されている。
【００２２】
［ファンユニット３０及び熱交換器６０の取付構成］
続いて、本実施の形態に係るファンユニット３０及び熱交換器６０の取付構成の詳細について説明する。
【００２３】
（ファンユニット３０の取付構成）
従来、熱交換器及びファン等のような重量物は、筐体の背面部を構成する背面板に取り付けられている。ここで、本実施の形態に係る室内機１００のように軸流ファン３３を採用した場合、軸流ファン３３を熱交換器６０の上方に配置する必要がある。つまり、熱交換器６０の大型化に伴って、軸流ファン３３の配置位置は、背面板２から前方に離れた位置となる。また、軸流ファン３３を駆動するモーター３４も、熱交換器６０の大型化に伴って、背面板２から前方に離れた位置となる。このため、軸流ファン３３を有する本実施の形態に係る室内機１００においては、軸流ファン３３及びモーター３４を従来の構成で背面板２に取り付けた場合、熱交換器６０の大型化に伴って、取付部のネジ穴（背面板２に形成されたネジ穴）にかかるモーメントが大きくなってしまい、当該取付部のネジ穴が破損してしまうことが懸念される。
【００２４】
また、本実施の形態に係る室内機１００は、清掃ユニット９０をファンユニット３０で支持する構成としている。このため、本実施の形態に係る室内機１００は、取付部のネジ穴（背面板２に形成されたネジ穴）にかかるモーメントがさらに大きくなってしまい、当該取付部のネジ穴が破損してしまうことがさらに懸念される。
また、本実施の形態に係る室内機１００においては、軽量化を図る等の目的で、背面板２を樹脂で形成することも想定している。背面板２を樹脂で形成すると、取付部のネジ穴が破損してしまうことがさらに懸念される。
【００２５】
しかしながら、以下に示すように、背面板２に前方へ突出する一対の支持アーム１０，２０を設け、該支持アーム１０，２０にファンユニット３０を下方から支持させる構成とすることで、取付部のネジ穴（背面板２に形成されたネジ穴）の破損を防止することができる。
以下、図面を用いながら、ファンユニット３０の取付構成の詳細について説明する。
【００２６】
図６は、本発明の実施の形態に係る空気調和機の室内機において、背面板、熱交換器及びファンユニットを右前方上側から見た組立斜視図である。図７は、この空気調和機の室内機において、背面板、熱交換器及びファンユニットを右前方上側から見た分解斜視図である。図８は、図７のＡ部拡大図である。図９は、図７のＢ部拡大図である。図１０は、この空気調和機の室内機の背面板を示す右側面図である。図１１は、この空気調和機の室内機の背面板を示す左側面図である。図１２は、図７のＣ−Ｃ断面図である。図１３は、図７のＤ−Ｄ断面図である。図１４は、図２のＥ−Ｅ断面図である。図１５は、図１４のＦ部拡大図である。また、図１６は、図１４のＧ部拡大図である。
なお、図６及び図７では、ファンユニット３０に支持された清掃ユニット９０も図示している。
【００２７】
図６，７等に示すように、背面板２は、前方へ突設された一対の支持アーム１０，２０を備えている。図８，１０，１２等に示すように、背面板２の右側に突設された支持アーム１０は、略四角柱形状に形成されている。また、支持アーム１０は、内部を中空形状とすることによって軽量化し、また、内部にリブ１８を設けることで支持アーム１０の強度を確保している。
なお、本実施の形態では、支持アーム１０の一側面（筐体１の中心側に面した左側面）が開口している。このように一側面が開口しているものも、本実施の形態では角柱形状と称するものとする。
【００２８】
また、支持アーム１０の先端部には、段差１１が形成されている。このため、支持アーム１０の先端部は、第１先端部１２と、該第１先端部１２から段差１１分だけ後方に配置された第２先端部１３とを備えている。
【００２９】
第１先端部１２には、前方へ突出するボス部１４及び位置決めピン１６が設けられている。また、ボス部１４には、ファンユニット３０を固定するためのネジ穴１４ａが形成されている。位置決めピン１６は、ファンユニット３０をネジ固定する前に、ファンユニット３０を位置決めするために用いられるものである。
ここで、ネジ穴１４ａが、本発明の第１ネジ穴に相当する。
【００３０】
第２先端部１３には、前方へ突出するボス部１５及び位置決めピン１７が設けられている。また、ボス部１５には、熱交換器６０を固定するためのネジ穴１５ａが形成されている。位置決めピン１７は、熱交換器６０をネジ固定する前に、熱交換器６０を位置決めするために用いられるものである。
【００３１】
図９，１１，１３等に示すように、背面板２の左側に突設された支持アーム２０も、支持アーム１０と概略同様の形状に形成されている。詳しくは、支持アーム２０は、略四角柱形状に形成されている。また、支持アーム２０は、内部を中空形状とすることによって軽量化し、また、内部にリブ２８を設けることで支持アーム２０の強度を確保している。
【００３２】
また、支持アーム２０の先端部には、段差２１が形成されている。このため、支持アーム２０の先端部は、第１先端部２２と、該第１先端部２２から段差２１分だけ後方に配置された第２先端部２３とを備えている。
【００３３】
第１先端部２２には、前方へ突出するボス部２４及び位置決めピン２６が設けられている。また、ボス部２４には、ファンユニット３０を固定するためのネジ穴２４ａが形成されている。位置決めピン２６は、ファンユニット３０をネジ固定する前に、ファンユニット３０を位置決めするために用いられるものである。
ここで、ネジ穴２４ａが、本発明の第１ネジ穴に相当する。
【００３４】
第２先端部２３には、前方へ突出するボス部２５が設けられている。また、ボス部２５には、熱交換器６０を固定するためのネジ穴２５ａが形成されている。なお、後述のように、ボス部２５は、熱交換器６０をネジ固定する前に熱交換器６０を位置決めするための位置決めピンとしても機能する。
ここで、ボス部２５が、本発明の位置決めピンに相当する。
【００３５】
なお、支持アーム１０，２０は、略四角柱形状に限定されるものではない。例えば、略円柱形状、及び略四角柱形状以外の略角柱形状に、支持アーム１０，２０を形成してもよい。ただし、支持アーム１０，２０は、略角柱形状であることが好ましい。ファンユニット３０を面接触で支持できるからである。
【００３６】
図１４，１５，１６に示すように、ファンユニット３０のファン外枠３１の下面には、背面板２の右側に形成された支持アーム１０の上部と対向する位置に、前後方向に沿ってガイド溝３５が形成されている。また、ファンユニット３０のファン外枠３１の下面には、背面板２の左側に形成された支持アーム２０の上部と対向する位置に、前後方向に沿ってガイド溝４５が形成されている。
【００３７】
ガイド溝３５は、支持アーム１０が前後方向に摺動自在に挿入されるものであり、ファン外枠３１の下面から上方へ立設された外側ガイド壁３６及び内側ガイド壁３７の間に形成されている。また、ガイド溝３５の前面側は、取付板３８によって、少なくとも一部が閉塞されている。つまり、ガイド溝３５は、下方及び後方が開口した形状となっている。また、取付板３８は、支持アーム１０の前方、つまり、支持アーム１０の先端部（より詳しくは第１先端部１２）と対向して配置されるものである。取付板３８には、第１先端部１２のボス部１４に形成されたネジ穴１４ａと対向する位置に、貫通穴３９が形成されている。また、取付板３８には、第１先端部１２の位置決めピン１６と対向する位置に、位置決め穴４０（貫通穴）が形成されている（図６参照）。
ここで、貫通穴３９が本発明の第１貫通穴に相当し、位置決め穴４０が本発明の第１凹部に相当する。なお、位置決め穴４０は、貫通している必要はない。
【００３８】
ガイド溝４５は、支持アーム２０が前後方向に摺動自在に挿入されるものであり、ファン外枠３１の下面から上方へ立設された外側ガイド壁４６及び内側ガイド壁４７（図５参照）の間に形成されている。また、ガイド溝４５の前面側は、取付板４８によって、少なくとも一部が閉塞されている。つまり、ガイド溝４５は、下方及び後方が開口した形状となっている。また、取付板４８は、支持アーム２０の前方、つまり、支持アーム２０の先端部（より詳しくは第１先端部２２）と対向して配置されるものである。取付板４８には、第１先端部２２のボス部２４に形成されたネジ穴２４ａと対向する位置に、貫通穴４９が形成されている。また、取付板４８には、第１先端部２２の位置決めピン２６と対向する位置に、位置決め穴５０（貫通穴）が形成されている（図６参照）。
ここで、貫通穴４９が本発明の第１貫通穴に相当し、位置決め穴５０が本発明の第１凹部に相当する。なお、位置決め穴５０は、貫通している必要はない。
【００３９】
つまり、取付板３８の貫通穴３９に挿入されたネジを支持アーム１０の第１先端部１２に形成されたネジ穴１４ａにねじ込んで固定し、取付板４８の貫通穴４９に挿入されたネジを支持アーム２０の第１先端部２２に形成されたネジ穴２４ａにねじ込んで固定することにより、支持アーム１０，２０に下方から支持されたファンユニット３０が、支持アーム１０，２０に固定される構成となっている。このような構成にすることで、ファンユニット３０のネジ固定作業を筐体１の前面側から行うことができ、ファンユニット３０の取付作業性を向上させることができる。
【００４０】
（熱交換器６０の取付構成）
上述のように、熱交換器６０は、筐体の背面部を構成する背面板に取り付けられている。そして、熱交換器６０の大型化に伴って、熱交換器６０の重心は、背面板２から前方に離れた位置となる。このため、熱交換器６０を従来の構成で背面板２に取り付けた場合、熱交換器６０の大型化に伴って、取付部のネジ穴（背面板２に形成されたネジ穴）にかかるモーメントが大きくなってしまい、当該取付部のネジ穴が破損してしまうことが懸念される。
また、本実施の形態に係る室内機１００においては、軽量化を図る等の目的で、背面板２を樹脂で形成することも想定している。背面板２を樹脂で形成すると、取付部のネジ穴が破損してしまうことがさらに懸念される。
【００４１】
しかしながら、以下に示すように、一対の支持アーム１０，２０に熱交換器６０を取り付ける構成とすることで、取付部のネジ穴（背面板２に形成されたネジ穴）の破損を防止することができる。
以下、図面を用いながら、熱交換器６０の取付構成の詳細について説明する。
【００４２】
図１７は、本発明の実施の形態に係る空気調和機の室内機において、背面板、熱交換器及びファンユニットを右前方下側から見た組立斜視図である。図１８は、図１７のＨ部拡大図である。図１９は、図１８に示す状態からファンユニットを前方へ引き出した状態を示す図である。図２０は、この空気調和機の室内機において、背面板、熱交換器及びファンユニットを左前方下側から見た組立斜視図である。図２１は、図２０のＩ部拡大図である。図２２は、図２１に示す状態からファンユニットを前方へ引き出した状態を示す図である。図２３は、この空気調和機の室内機における熱交換器の右側板を右前方上側から見た斜視図である。また、図２４は、この空気調和機の室内機における熱交換器の左側板を右後方上側から見た斜視図である。
【００４３】
図１７，１８，１９，２３に示すように、熱交換器本体６１の右側端部に設けられた右側板７０は、熱交換器本体６１に接続される側板本体７１と、該側板本体７１から上方に突設された取付部７２とを備えている。側板本体７１は、例えば溶接により、熱交換器本体６１の右側端部に接続される。取付部７２は、支持アーム１０の前方、つまり、支持アーム１０の先端部（より詳しくは第２先端部１３）と対向して配置されるものである。取付部７２には、第２先端部１３のボス部１５に形成されたネジ穴１５ａと対向する位置に、貫通穴７３が形成されている。また、取付部７２には、第２先端部１３の位置決めピン１７と対向する位置に、位置決め穴７４（貫通穴）が形成されている。
ここで、貫通穴７３が本発明の第２貫通穴に相当し、位置決め穴７４が本発明の第２凹部に相当する。なお、位置決め穴７４は、貫通している必要はない。
【００４４】
図２０，２１，２２，２４に示すように、熱交換器本体６１の左側端部に設けられた左側板８０は、熱交換器本体６１に接続される側板本体８１と、該側板本体８１から上方に突設された取付部８２とを備えている。熱交換器本体６１の左側端部では、２本の伝熱管６８がＵ字状配管で接続されている。一方、側板本体８１には、Ｕ字状配管と対向する位置に伝熱管保持穴８１ａが形成されている。当該伝熱管保持穴８１ａにＵ字状配管を挿入することにより、側板本体８１は熱交換器本体６１の左側端部に接続される。取付部８２は、支持アーム２０の前方、つまり、支持アーム２０の先端部（より詳しくは第２先端部２３）と対向して配置されるものである。取付部８２には、第２先端部２３のボス部２５に形成されたネジ穴２５ａと対向する位置に、貫通穴８３が形成されている。また、取付部７２には、貫通穴８３の外周部に、後方（背面板２側）に突出するフランジ８４が形成されている。つまり、貫通穴８３の後方には、フランジ８４を外周壁とする凹部が形成される。そして、この凹部には、支持アーム２０の第２先端部２３に形成されたボス部２５の先端部が挿入される構成となっている。
ここで、貫通穴８３が本発明の第２貫通穴に相当し、フランジ８４を外周壁とする凹部が本発明の第２凹部に相当する。
【００４５】
つまり、取付部７２の貫通穴７３に挿入されたネジ７５を支持アーム１０の第２先端部１３に形成されたネジ穴１５ａにねじ込んで固定し、取付部８２の貫通穴８３に挿入されたネジを支持アーム２０の第２先端部２３に形成されたネジ穴２５ａにねじ込んで固定することにより、熱交換器６０は、支持アーム１０，２０に固定される構成となっている。このような構成にすることで、熱交換器６０のネジ固定作業を筐体１の前面側から行うことができ、熱交換器６０の取付作業性を向上させることができる。
【００４６】
（ファンユニット３０及び熱交換器６０の取付動作）
上述のように構成されたファンユニット３０及び熱交換器６０の取付動作は、次のような手順で行われる。
【００４７】
ファンユニット３０及び熱交換器６０を背面板２の支持アーム１０，２０に取り付ける際、まず、熱交換器６０が取り付けられることとなる。
【００４８】
熱交換器６０を支持アーム１０，２０に取り付ける場合、右側板７０の取付部７２に形成された位置決め穴７４に、支持アーム１０の第２先端部１３に設けられた位置決めピン１７を挿入する。また、左側板８０の取付部８２に形成されたフランジ８４を外周壁とする凹部に、支持アーム２０の第２先端部２３に設けられたボス部２５を挿入する。これにより、熱交換器６０を支持アーム１０，２０に対して仮位置決めすることができ、後述のネジ固定作業が容易となる。つまり、右側板７０の取付部７２の貫通穴７３と支持アーム１０の第２先端部１３のネジ穴１５ａとの位置合わせ、及び、左側板８０の取付部８２の貫通穴８３と支持アーム２０の第２先端部２３のネジ穴２５ａとの位置合わせが、容易となる。
【００４９】
熱交換器６０を支持アーム１０，２０に対して仮位置決めした後、熱交換器６０を支持アーム１０，２０にネジ固定する。詳しくは、右側板７０の取付部７２の貫通穴７３に挿入されたネジ７５を支持アーム１０の第２先端部１３に形成されたネジ穴１５ａにねじ込んで固定し（図１８，１９等参照）、左側板８０の取付部８２の貫通穴８３に挿入されたネジを支持アーム２０の第２先端部２３に形成されたネジ穴２５ａにねじ込んで固定することにより、熱交換器６０は、支持アーム１０，２０に固定される。
【００５０】
図２５は、本発明の実施の形態に係る空気調和機の室内機における熱交換器の取付部のネジ穴に作用するモーメントを説明するための説明図である。また、図２６は、本発明の実施の形態に係る空気調和機の室内機における熱交換器の取付構成に従来の取付構成を採用した際の、熱交換器の取付部のネジ穴に作用するモーメントを説明するための説明図である。なお、図２５及び図２６に示すＧ１は、熱交換器６０の重心である。
【００５１】
従来の室内機は、背面板に本実施の形態で説明したような支持アーム１０，２０を備えていなかった。このため、従来の取付構成で熱交換器６０を背面板２に取り付けた場合、熱交換器６０の取付位置は、図２６のＺ２位置になる。このため、取付位置Ｚ２と熱交換器６０の重心Ｇ１との距離が離れてしまうため、背面板２の取付位置Ｚ２に形成されたネジ穴（熱交換器６０を固定するためのネジ穴）にかかるモーメントＭ２が大きくなってしまい、当該ネジ穴の破損が懸念される。
【００５２】
一方、上述のように、本実施の形態に係る室内機１００においては、熱交換器６０は、支持アーム１０，２０の第２先端部１３，２３に取り付けられる。このため、熱交換器６０の取付位置は、図２５のＺ１位置となる。したがって、取付位置Ｚ１と熱交換器６０の重心Ｇ１との距離を小さくできるので、背面板２の取付位置Ｚ１に形成されたネジ穴１５ａ，２５ａ（熱交換器６０を固定するためのネジ穴）にかかるモーメントＭ１を小さくすることができる。このため、ネジ穴１５ａ，２５ａが破損することを防止できる。
【００５３】
このとき、熱交換器６０を側面視Ｗ字形状に形成する場合、図２５に示すように、第２熱交換要素６３又は第３熱交換要素６４の上端部と対向する位置（図２５に示すＷの範囲）まで、支持アーム１０，２０の第２先端部１３，２３を伸ばした構成にすることが好ましい。熱交換器６０を側面視Ｗ字形状に構成した場合、上記Ｗの範囲近傍に熱交換器６０の重心が位置する。このため、ネジ穴１５ａ，２５ａにかかるモーメントＭ１をより小さくすることができ、ネジ穴１５ａ，２５ａが破損することをより防止できる。特に、本実施の形態では、第１熱交換要素６２、第２熱交換要素６３、第３熱交換要素６４及び第４熱交換要素６５を同じ大きさに形成している。このため、上記Ｗの範囲内に熱交換器６０の重心が位置する。このため、ネジ穴１５ａ，２５ａにかかるモーメントＭ１をさらに小さくすることができ、ネジ穴１５ａ，２５ａが破損することをさらに防止できる。
【００５４】
熱交換器６０を支持アーム１０，２０に固定した後、ファンユニット３０を背面板２の支持アーム１０，２０に取り付ける。この際、まず、ファンユニット３０を支持アーム１０，２０の上部に載置する。ここで、ファンユニット３０には、ガイド溝３５，４５が形成されている。このため、ファンユニット３０を支持アーム１０，２０の上部に載置した際、ガイド溝３５に支持アーム１０が挿入され、ガイド溝４５に支持アーム２０が挿入される（図１９，２２参照）。これにより、ファンユニット３０は、支持アーム１０，２０に対して仮位置決めされる。このように、ファンユニット３０を仮位置決めすることにより、後述のファンユニット３０のネジ固定作業が容易となる。つまり、取付板３８の貫通穴３９と支持アーム１０の第１先端部１２のネジ穴１４ａとの位置合わせ、及び、取付板４８の貫通穴４９と支持アーム２０の第１先端部２２のネジ穴２４ａとの位置合わせが、容易となる。
なお、ガイド溝３５及びガイド溝４５のうちの少なくとも１つがあれば、ファンユニット３０を仮位置決めできる。
【００５５】
その後、ファンユニット３０を背面板２の方へ押し込んでいくと、つまり、図１９，２２に示す状態から図１８，２１に示す状態にすると、取付板３８が支持アーム１０の第１先端部１２に接触し、取付板４８が支持アーム２０の第１先端部２２に接触する。上述のように、支持アーム１０は、第１先端部１２と第２先端部１３（熱交換器６０の取付部）との間に段差１１が形成されている。また、支持アーム２０は、第１先端部２２と第２先端部２３（熱交換器６０の取付部）との間に段差２１が形成されている。このため、取付板３８が熱交換器６０の取付部７２と干渉することを防止でき、取付板４８が熱交換器６０の取付部８２と干渉することを防止できる。
【００５６】
また、取付板３８を支持アーム１０の第１先端部１２に接触させる際、取付板３８に形成された位置決め穴４０に、支持アーム１０の第１先端部１２に設けられた位置決めピン１６が挿入される。同様に、取付板４８を支持アーム２０の第１先端部２２に接触させる際、取付板４８に形成された位置決め穴５０に、支持アーム２０の第１先端部２２に設けられた位置決めピン２６が挿入される。これにより、ファンユニット３０を支持アーム１０，２０に対してさらに精度良く仮位置決めすることができる。つまり、取付板３８の貫通穴３９と支持アーム１０の第１先端部１２のネジ穴１４ａとの位置合わせ、及び、取付板４８の貫通穴４９と支持アーム２０の第１先端部２２のネジ穴２４ａとの位置合わせが、さらに容易となる。
【００５７】
ここで、取付板３８，４８の位置決め穴４０，５０に位置決めピン１６，２６を挿入する作業は、ガイド溝３５，４５と支持アーム１０，２０とによってファンユニット３０が荒位置決めされた状態で行われる。このため、取付板３８，４８の位置決め穴４０，５０に位置決めピン１６，２６を挿入する作業も容易となっている。
【００５８】
上述のようにファンユニット３０を仮位置決めした後、ファンユニット３０を支持アーム１０，２０にネジ固定する。詳しくは、取付板３８の貫通穴３９に挿入されたネジを支持アーム１０の第１先端部１２に形成されたネジ穴１４ａにねじ込んで固定し、取付板４８の貫通穴４９に挿入されたネジを支持アーム２０の第１先端部２２に形成されたネジ穴２４ａにねじ込んで固定することにより、ファンユニット３０は、支持アーム１０，２０に固定される。
【００５９】
図２７は、本発明の実施の形態に係る空気調和機の室内機におけるファンユニットの取付部のネジ穴に作用するモーメントを説明するための説明図である。また、図２８は、本発明の実施の形態に係る空気調和機の室内機におけるファンユニットの取付構成に従来の取付構成を採用した際の、ファンユニットの取付部のネジ穴に作用するモーメントを説明するための説明図である。なお、図２７及び図２８に示すＧ２は、ファンユニット３０の重心である。
【００６０】
従来の室内機は、背面板に本実施の形態で説明したような支持アーム１０，２０を備えていなかった。このため、従来の取付構成でファンユニット３０を背面板２に取り付けた場合、ファンユニット３０の取付位置は、図２８のＺ４位置になる。このため、取付位置Ｚ４とファンユニット３０の重心Ｇ２との距離が離れてしまうため、背面板２の取付位置Ｚ４に形成されたネジ穴（ファンユニット３０を固定するためのネジ穴）にかかるモーメントＭ４が大きくなってしまい、当該ネジ穴の破損が懸念される。
【００６１】
一方、上述のように、本実施の形態に係る室内機１００においては、支持アーム１０，２０によってファンユニット３０の荷重の一部を支持する構成となっている。このため、ファンユニット３０を固定するためのネジ穴にかかるモーメントを小さくできるため、当該ネジ穴が破損することを防止できる。また、本実施の形態に係る室内機１００においては、ファンユニット３０は、支持アーム１０，２０の第１先端部１２，２２に取り付けられる。このため、ファンユニット３０の取付位置は、図２７のＺ３位置となる。したがって、取付位置Ｚ３とファンユニット３０の重心Ｇ２との距離を小さくできるので、背面板２の取付位置Ｚ３に形成されたネジ穴１４ａ，２４ａ（ファンユニット３０を固定するためのネジ穴）にかかるモーメントＭ３を小さくすることができる。このため、ネジ穴１４ａ，２４ａが破損することをより防止できる。
【００６２】
このとき、ファンユニット３０の重心Ｇ２よりも前方まで、支持アーム１０，２０の第１先端部１２，２２を伸ばした構成にすることが好ましい。これにより、ファンユニット３０の全荷重を支持アーム１０，２０で支持することができるので、ファンユニット３０を固定するためのネジ穴にはモーメントがかからなくなり、当該ネジ穴が破損することを確実に防止できる。なお、この効果は、支持アーム１０，２０の第１先端部１２，２２にファンユニット３０固定用のネジ穴１４ａ，２４ａを形成した場合以外でも、つまり、ネジ穴１４ａ，２４ａ以外の場所にファンユニット３０固定用のネジ穴を形成した場合であっても得られる効果である。
【符号の説明】
【００６３】
１  筐体、２  背面板、３  意匠パネル、４  吸込口、５  吹出口、５ａ  上下風向板、１０  支持アーム、１１  段差、１２  第１先端部、１３  第２先端部、１４  ボス部、１４ａ  ネジ穴、１５  ボス部、１５ａ  ネジ穴、１６  位置決めピン、１７  位置決めピン、１８  リブ、２０  支持アーム、２１  段差、２２  第１先端部、２３  第２先端部、２４  ボス部、２４ａ  ネジ穴、２５  ボス部、２５ａ  ネジ穴、２６  位置決めピン、２８  リブ、３０  ファンユニット、３１  ファン外枠、３２  ベルマウス、３３  軸流ファン、３３ａ  ボス部、３４  モーター、３５  ガイド溝、３６  外側ガイド壁、３７  内側ガイド壁、３８  取付板、３９  貫通穴  ４０  位置決め穴（貫通穴）、４５  ガイド溝、４６  外側ガイド壁、４７  内側ガイド壁、４８  取付板、４９  貫通穴、５０  位置決め穴（貫通穴）、６０  熱交換器、６１  熱交換器本体、６２  第１熱交換要素、６３  第２熱交換要素、６４  第３熱交換要素、６５  第４熱交換要素、６７  伝熱フィン、６８  伝熱管、７０  右側板、７１  側板本体、７２  取付部、７３  貫通穴、７４  位置決め穴（貫通穴）、７５  ネジ、８０  左側板、８１  側板本体、８１ａ  伝熱管保持穴、８２  取付部、８３  貫通穴、８４  フランジ、９０  清掃ユニット、９１  カセット、９２  開口部、９４  フィルター、９５  清掃機構、９７  ドレンパン、９８  電気品箱、１００  室内機。
【図１】
0006456483.tif 000002
【図２】
0006456483.tif 000003
【図３】
0006456483.tif 000004
【図４】
0006456483.tif 000005
【図５】
0006456483.tif 000006
【図６】
0006456483.tif 000007
【図７】
0006456483.tif 000008
【図８】
0006456483.tif 000009
【図９】
0006456483.tif 000010
【図１０】
0006456483.tif 000011
【図１１】
0006456483.tif 000012
【図１２】
0006456483.tif 000013
【図１３】
0006456483.tif 000014
【図１４】
0006456483.tif 000015
【図１５】
0006456483.tif 000016
【図１６】
0006456483.tif 000017
【図１７】
0006456483.tif 000018
【図１８】
0006456483.tif 000019
【図１９】
0006456483.tif 000020
【図２０】
0006456483.tif 000021
【図２１】
0006456483.tif 000022
【図２２】
0006456483.tif 000023
【図２３】
0006456483.tif 000024
【図２４】
0006456483.tif 000025
【図２５】
0006456483.tif 000026
【図２６】
0006456483.tif 000027
【図２７】
0006456483.tif 000028
【図２８】
0006456483.tif 000029